(57)【要約】【課題】遊技者の興味をさらに引くような演出効果を発揮することが可能な遊技機を提供する。【解決手段】遊技機としてのパチンコ遊技機１の前面中央に配設された中央役物１００に、役物演出空間１０３内に配設された複数の小片１０６を遊技状態に応じて電動ファン１０４から吹き出される噴風によって花吹雪状に舞い上がらせる役物演出装置１０２を配設する。【選択図】図１
2007268129.tif 000002
【特許請求の範囲】
【請求項１】
遊技領域の前面中央に、図柄表示装置を有する中央役物が配設された遊技機において、
前記遊技機の中央役物に、予め設定された所定空間内に配設された複数の小片を遊技状態に応じて吹き出される噴風によって花吹雪状に舞い上がらせる役物演出装置を備えたことを特徴とする遊技機。
【請求項２】
前記役物演出装置は、前記図柄表示装置の周縁部に沿って配設された所定空間と、前記所定空間内に配設された複数の小片と、前記所定空間内に遊技状態に応じて噴風して前記複数の小片を花吹雪状に舞い上げる噴風手段とを備えていることを特徴とする請求項１に記載の遊技機。
【請求項３】
前記役物演出装置による前記小片を花吹雪状に舞い上げる演出と、前記図柄表示装置による画像演出とを連動させて行うことを特徴とする請求項１又は２に記載の遊技機。
【請求項４】
前記所定空間に、前記所定空間内の空気を外部に排出する排気手段を設けると共に、前記排気手段の配設位置によって前記小片による花吹雪の大きさを調節することを特徴とする請求項１乃至３の何れか１つに記載の遊技機。
【発明の詳細な説明】
【技術分野】
【０００１】
この発明は、遊技機に関し、さらに詳しくは、パチンコ遊技機に関する。
【背景技術】
【０００２】
従来、遊技機、例えばパチンコ遊技機は、遊技球が図示しない球送り装置によって１球ずつ発射レール上に送り出され、送り出された遊技球が打球発射装置としての打球発射装置に打ち出されて遊技盤の案内レールの外レールに沿って遊技領域に導かれ、この遊技領域に導かれた遊技球が入賞具に入賞したときに、予め設定された所定数の賞球を払い出すように構成されている。打球発射装置が打ち出す遊技球の初速は、遊技者の指による操作ハンドルの操作により調整できるようになっている。また、遊技領域の最下部には、入賞具に入賞せずに落下したアウト球を集合して排出させるアウト口が設けられている（例えば、特許文献１参照）。
【０００３】
さらに、近年、パチンコ遊技機は、その遊技領域の前面中央に、図柄表示装置（例えば、液晶画面）を有する中央役物が配設されることが多い。
【０００４】
さらには、中央役物にランプ飾りや駆動式の役物を配設して、ランプ飾りを点灯させたり、図柄表示装置に役物を映し出したり、駆動式の役物（例えば、フィギィア）を出現させる等の役物演出を行うことによって遊技性を高め、遊技者が遊技を楽しく行えるように構成されているものがある。
【０００５】
【特許文献１】特開２００２−０２８３２９号公報
【発明の開示】
【発明が解決しようとする課題】
【０００６】
しかしながら、上記した従来の遊技機にあっては、ランプ飾りの点灯時の色や役物の出現している時間等に変化をつけることよって演出効果を高める工夫がなされているが、さらなる演出効果を発揮できるような遊技機が求められている。
【０００７】
そこで、この発明は、上記した従来技術が有している問題点を解決するためになされたものであって、遊技者の興味をさらに引くような演出効果を発揮することが可能な遊技機を提供することを目的とする。
【課題を解決するための手段】
【０００８】
上記目的を達成するため第１の発明は、遊技領域の前面中央に、図柄表示装置を有する中央役物が配設された遊技機において、
前記遊技機の中央役物に、予め設定された所定空間内に配設された複数の小片を遊技状態に応じて吹き出される噴風によって花吹雪状に舞い上がらせる役物演出装置を備えたことを特徴とする。
【０００９】
上記目的を達成するため第２の発明は、第１の発明の構成に加えて、前記役物演出装置は、前記図柄表示装置の周縁部に沿って配設された所定空間と、前記所定空間内に配設された複数の小片と、前記所定空間内に遊技状態に応じて噴風して前記複数の小片を花吹雪状に舞い上げる噴風手段とを備えていることを特徴とする。
【００１０】
第１、第２の発明によれば、所定空間内に配設された複数の小片が、遊技状態に応じて空間内に噴出される空気流にのって瞬時に舞い上がり始めると共に、空間内を流れる空気流にのって花吹雪状に風送される。これにより、複数の小片による花吹雪の演出によって、遊技者の興味をさらに引くことができるようになると共に、遊技者は、遊技状態の変化、例えば期待度が大幅にアップしたこと等が容易に分かるようになるので、遊技性が高まり、遊技をより楽しく行うことができるようになる。
【００１１】
上記目的を達成するため第３の発明は、第１又は第２の発明の構成に加えて、前記役物演出装置による前記小片を花吹雪状に舞い上げる演出と、前記図柄表示装置による画像演出とを連動させて行うことを特徴とする。
【００１２】
第３の発明によれば、役物演出装置による小片を花吹雪状に舞い上げる演出と、図柄表示装置による画像演出とが連動して行われる。これにより、第１又は第２の発明の作用効果に加えて、中央役物のほぼ全域にわたり花吹雪を出現させる演出によって、より期待度が大きくなったことを遊技者に報知することができるようになり、さらに遊技者の興味を引くことができるようになる。
【００１３】
上記目的を達成するため第４の発明は、第１乃至第３の何れか１つの発明の構成に加えて、前記所定空間に、前記所定空間内の空気を外部に排出する排気手段を設けると共に、前記排気手段の配設位置によって前記小片による花吹雪の大きさを調節することを特徴とする。
【００１４】
第４の発明は、所定空間内の空気を外部に排出する排気手段の配設位置によって小片による花吹雪の大きさが調節される。これにより、第１乃至第３の何れか１つの発明の作用効果に加えて、遊技者は花吹雪の大きさによって、遊技内容の変化や期待度の大きさがより分かり易くなるため、遊技性がさらに高くなり、遊技者が遊技をより楽しく行えるようになる。
【発明の効果】
【００１５】
遊技機の前面中央に配設された中央役物に、予め設定された所定空間内に配設された複数の小片を遊技状態に応じて吹き出される噴風によって花吹雪状に舞い上がらせる役物演出装置を配設した。これにより、役物演出装置が複数の小片による花吹雪の演出を行うことによって、遊技者の興味をさらに引くことができるようになると共に、遊技者は、遊技状態の変化、例えば期待度が大幅にアップしたこと等が容易に分かるようになるので、遊技性が高まり、遊技をより楽しく行うことができるようになる。
【発明を実施するための最良の形態】
【００１６】
以下、本発明の実施形態について図面を用いて詳細に説明する。
【００１７】
図１は、本発明の実施形態に係るパチンコ遊技機の正面図、図２は、同例におけるパチンコ遊技機の背面図、図３は、同例における遊技盤の正面図である。
【００１８】
図１に示されるように、遊技機としてのパチンコ遊技機１は、機枠又は機体としての所定の外郭方形枠サイズに構成された固定保持用の外枠２と、この外枠２の前側に設けられ、この外枠２に合わせて方形枠サイズに構成された前枠３とを備えている。
【００１９】
前枠３は、正面左側上下部に配設された開閉連結支持機構４ａ，４ｂを介して外枠２に開閉（片持ち横開き）可能に組付けられていると共に、正面右側内部に配設された施錠装置５によって閉鎖状態に保持される。この前枠３の正面側には、前枠３の前側面行きに合わせた方形状のガラス扉６及び上球皿７が共に横開き開閉及び着脱可能に組付けられており、施錠装置５及び図示しないロック機構によって前枠３の前面を覆う閉止状態で保持される。
【００２０】
また、上球皿７には、球払出口７ａから払い出された遊技球を貯留して整列させる球皿部７ｂが設けられていると共に、球皿部７ｂに貯留する遊技球を下球皿８に排出させる球抜きレバー７ｃが設けられている。球皿部７ｂの左下側には演出用の放音部７ｄが設けられている。
【００２１】
前枠３の下部には、球皿部８ａ及び球出口８ｂを有する下球皿８が設けられ、この下球皿８と並んで打球発射装置９が設けられている。この打球発射装置９には、遊技球の発射装置を行う操作ハンドル９ａが取り付けられている。操作ハンドル９ａには、遊技者の指により回動操作が行われる操作レバー９ｂが設けられている。また、前枠３の裏側には、この前枠３と一体に方形枠状の収容枠１０（図２に図示）が成形されている。
【００２２】
さらに、前枠３には、パチンコゲームを展開し得る遊技盤１１が、収容枠１０の収容面域に対して着脱交換可能にセット保持されている。遊技盤１１は、前面の遊技領域１２をガラス扉６の正面に臨ませており、前枠３の裏側に裏機構１３（図２に図示）を装備している。
【００２３】
遊技盤１１は、所定板厚の積層合板の表面にセルが貼り付けられた化粧板１４の前面側に、外周を突出して内側に略円周面を形成した外レール１６ａ及び帯状の内レール１６ｂ（以下、これらを合わせて案内レール１５と称する）が固設され、この案内レール１５に囲まれた内側に遊技領域１２が区画されている。
【００２４】
この遊技領域１２内には、多数本の遊技釘１７と共に、複数の風車１８、一般入賞具２０、始動入賞具２３並びにアタッカー入賞具２５等の入賞具、中央役物１００等が設けられている。なお、この遊技領域１２内には、図示はしていないが、上述した入賞具とは異なる一般入賞具、始動入賞具、アタッカー入賞具及びスルーチェッカ等が設けられている。
【００２５】
図１、３に示されるように、中央役物１００は、枠部材１０１と図柄表示装置としての液晶表示装置２００を組み合わせたものであって、遊技領域１２の前面中央に配設されている。
【００２６】
一般入賞具２０（他方も含む）は、遊技球が落入可能な入賞孔を有し、ここに入賞した遊技球を検出する入賞球検出センサ（具体的には、遊技球の通過を磁気的、光学的或いは電気的手段等により検出するセンサ）２０ａが取り付けられている。
【００２７】
始動入賞具２３は、ポケット状に形成され、入賞した遊技球を検出する入賞球検出センサが取り付けられている。他方の始動入賞具は、所謂電動チューリップ構成の入賞具からなり、左右のチューリップ羽根を開閉させることができる。この始動入賞具にも入賞した遊技球を検出する入賞球検出センサが取り付けられている。
【００２８】
アタッカー入賞具２５（他方も含む）は、図３に示されるように、中央に横長方形状の開口からなる大入賞口３００を有し、この大入賞口３００を開閉自在に覆って開閉扉２５ａが取り付けられている。開閉扉２５ａは通常閉止されており、遊技中において所定の遊技条件の下で特別遊技状態が成立した際に、開閉扉２５ａが前方に約９０度倒されて大入賞口３００が開放される。このアタッカー入賞具２５の大入賞口３００内にも入賞球検出センサが取り付けられている。
【００２９】
スルーチェッカは、遊技球が通過可能なゲート部を有し、ゲート部を通過した遊技球を検出する通過球検出センサ（具体的には、遊技球の通過を磁気的、光学的或いは電気的手段等により検出するセンサ）が取り付けられている。
【００３０】
一般入賞具２０、始動入賞具２３及びアタッカー入賞具２５の後側には化粧板１４を貫通するセーフ球通路孔（図示せず）が設けられている。一般入賞具２０、始動入賞具２３及びアタッカー入賞具２５に入賞したセーフ球はセーフ球通路を通って遊技盤の裏面側に排出される。
【００３１】
遊技領域１２の最下部には、入賞具２０，２３，２４に入賞せずに落下したアウト球を集合して排出させるアウト口２７が設けられている。アウト口２７の後側には化粧板１４を貫通してアウト球通路孔が形成されており、アウト口２７に集められたアウト球がアウト球通路孔を通って遊技盤の裏面側に排出される。
【００３２】
次に、パチンコ遊技機１の裏面側の構造について説明する。
図２に示されるように、遊技盤１１は、収容枠１０の収容面域の内法に合わせた方形サイズで収容枠１０の裏側から着脱可能に形成されている。また、遊技盤１１は、収容体１０の収容面域の周囲に配設された係合レバー２８ａ，２８ｂ，２８ｃで固定保持されるようになっている。
【００３３】
収容枠１０は、遊技盤１１をセット保持したときに、遊技盤１１の前面が閉鎖状態にあるガラス扉６（図１に図示）のガラス板と所定間隔をおいて対向するように構成されており、遊技盤面とガラス板内面との間に遊技球が落下移動する遊技領域空間が形成される。
【００３４】
また、前枠３の裏側下部には打球発射装置９が取り付けられ、前枠３における収容枠１０の下部に前枠３と一体に遊技補助盤２９が形成されている。なお、遊技補助盤２９の表側には打球発射装置９のハンマーと位置整合して遊技球を遊技盤１１の外レール１６ａに向けて発射する発射レール、放音部７ｄに向けて効果音を発声するスピーカ、所定空間内に空気を噴風する噴風手段（例えば、電動ファン）等が取り付けられている。また、遊技補助盤２９は、上球皿７の裏側に位置し、通常閉鎖状態に保持される上球皿７によりその表面側が覆われている。
【００３５】
収容枠１０の裏側には、球貯留供給機構３０や賞球払出機構４０等を有する裏セット盤５０がヒンジ５１ａ，５１ｂにより横開き可能となって前枠３の裏側に支持されている。裏セット盤５０は、前枠３の裏面を覆う閉止状態で閉止レバー５２ａ，５２ｂ，５２ｃにより前枠３に係止保持されるようになっている。
【００３６】
球貯留機構３０は、基本的な構成として、予備賞球タンク部材３１、タンク部材３１内に貯留された予備賞球を整列して供給させる整列樋部材３２、遊技機の作動状態を遊技施設側に出力するためのターミナル制御部３３や、その他の関連機構・部材などが装備されて構成される。
【００３７】
整列樋部材３２は、タンク部材３１から供給された予備賞球を整列状に収容して下端の変向出口３４に送出し得るようになっている。
【００３８】
ターミナル制御部３３では、図示しないが遊技ホール側からの電源、パチンコゲーム内容の情報、球切れ情報等に係る必要な回路、デバイス及び電源（コード）用コネクタ、アース端子等が配置、接続されている。
【００３９】
球払出機構４０は、裏セット盤５０の盤本体をなす開閉基枠体４１に、球貯留機構３０の変向出口３４に繋がる球切れ検出スイッチ４２、変向出口３４から送出される賞球を整列待機通路に整列待機させる整列待機通路部材４３、整列待機通路３４からの賞球を受け取り所定の払出条件に基づいて払い出す賞球カセット４４、賞球カセット４４から排出された賞球を球皿側へ排出する賞球排出経路、これらの関連機構・部材等が設けられることによって構成されている。
【００４０】
球切れ検出スイッチ４２は、賞球として払い出すのに充分な予備賞球が整列待機通路４３に保持されているか否かを検出するためのものである。
【００４１】
なお、この開閉基枠体４１は、遊技済み球（セーフ球とアウト球）の集合排出経路が設けられると共に、球貯留機構３０に一体に繋がっており、裏セット盤５０は、球貯留機構３０、賞球払出機構４０及び開閉基枠体４１を含めた全体がユニット化されたセット部材として構成されている。
【００４２】
さらに、裏セット盤５０の各部には、このパチンコ遊技機１の作動を統括的に制御する主制御基板９１、賞球の払出制御を行う賞球制御基板９２、効果証明や効果音の作動制御を行うランプ・音声制御基板９３、各制御基板や電子部品に所定の電力を供給する電源基板９４、複数のコネクタが取り付けられて制御信号や電力の中継を行う中継基板９５、液晶表示装置２００用の表示制御基板９６等が設けられている。
【００４３】
次に、パチンコ遊技機１におけるゲーム動作の概要を説明する。
パチンコ遊技機１は、上球皿７及びガラス扉６が閉止施錠された状態で遊技に供され、球皿部７ｂに遊技球を貯留させて操作ハンドル９ａの操作レバー９ｂを回動操作することによりより遊技が開始される。操作ハンドル９ａの操作レバー９ｂが回動操作されると、球皿部７ｂに貯留する遊技球が図示しない球送り装置によって１球ずつ発射レール上に送り出され、打球発射装置９のハンマーに打ち出されて遊技盤１１の外レール１６ａに沿って遊技領域１２に導かれ、以降パチンコゲームが展開される。ここで、打球発射装置９が打ち出す遊技球の初速は、操作レバー９ｂの回動角により設定される。すなわち、打球発射装置９が打ち出す遊技球の初速は、操作レバー９ｂの回動角が大きいほど速くなる。
【００４４】
遊技領域１２に導かれた遊技球が各入賞具２０，２３，２５に入賞すると、各入賞具に取り付けられた入賞球検出センサによって入賞したセーフ球が検出され、その入賞具の種類や遊技状況に応じた所定数の賞球が賞球払出機構４０から上球皿７若しくは下球皿８に払い出される。また、遊技盤１１の前面側の液晶表示装置２００は、遊技盤１１の裏面側に取り付けられた表示制御基板９６により制御されて前述の遊技状態に応じた種々の表示がなされる。
【００４５】
一方、遊技領域１２に導かれた遊技球が入賞具２０，２３，２５に入賞せずに落下すると、アウト球としてアウト口２７に集合し、アウト球通路を通って遊技盤１１の裏面側に排出される。
【００４６】
次に、中央役物１００及びその周辺部について詳細に説明する。
遊技領域１２には、左打ち用の遊技領域２０１と右打ち用の遊技領域２０２とに分けられる。
【００４７】
左打ち用の遊技領域２０１には、多数本の遊技釘１７、複数の風車１８、複数の一般入賞具２０、始動入賞具２３及びアタッカー入賞具２５が設けられている。左打ち用の遊技領域２０１は、パチンコ遊技機１が通常モードの状態及び通常モードから当選した大当たりのラウンド消化において遊技球を導く領域であり、操作レバー９ｂの回動角が比較的小さく、打球発射装置９が打ち出す遊技球の初速が比較的低い状態で用いられる領域である。ここで、パチンコ遊技機１が通常のモードとは、大当たりの抽選確率が低確率で、始動入賞具のチューリップ羽根が開閉しないか若しくは低い確率で開閉する状態、所謂、電チューサポートがない状態を示している。
【００４８】
右打ち用の遊技領域２０２には、多数本の遊技釘１７と、スルーチェッカ、一般入賞具、始動入賞具及びアタッカー入賞具が設けられている。
【００４９】
右打ち用の遊技領域２０２には、時短モードの状態、確率変動モードの状態、時短モードまたは確率変動モードから当選した大当たりのラウンド消化において遊技球を導く領域であり、操作レバー９ｂの回動角が比較的大きく、打球発射装置９が打ち出す遊技球の初速が比較的高い状態で用いられる領域である。ここで、パチンコ遊技機１が時短モードの状態とは、通常大当たりのラウンド消化後に突入するモードであり、大当たりの抽選確率が低確率で、始動入賞具のチューリップ羽根が高い確率で開閉する状態、所謂電チューサポートとがある状態を示している。パチンコ遊技機１が確率変動モードの状態とは、確変大当たりのラウンド消化後に突入するモードであり、大当たりの抽選確率が高確率で、始動入賞具のチューリップ羽根が高い確率で開閉する状態を示している。
【００５０】
枠部材１０１の左側壁１１１には、左打ち用の遊技領域２０１を落下する遊技球が付近の遊技釘１７の誘導により比較的低い確率で突入するワープ穴１１２が設けられている。
【００５１】
枠部材１０１の下壁１１３の上面には、ワープ穴１１２を通過した遊技球が転がるステージ１１４が形成されている。ステージ１１４の中央には遊技球を始動入賞具２３に誘導する誘導穴１１５の入口が設けられている。誘導穴１１５の出口は、始動入賞具２３の上方に位置している。
【００５２】
枠部材１０１は、左側壁１１１の上から２／３の範囲、上壁１１６、右側壁１１７が他の部分より遊技球１個分前方に突出して形成されている。
【００５３】
一方、右打ち用の遊技領域２０２に位置する枠部材１０１の右上側の外周面１２１は、外レール１６ａに近接しており、外周面と外レール１６ａとの間に球路１２２が形成されている、この球路１２２の中間部には、球速を低下させるための段部１２３が形成されている。球路１２２の出口から下方には、右打ち用の遊技領域２０２が形成されている。
【００５４】
次に、パチンコ遊技機１における左打ちの際のゲーム動作を説明する。
パチンコ遊技機１は、通常モードの場合、通常モードに対応した画像を液晶表示装置２００に表示する。この場合、遊技者は操作レバー９ｂの回動角を比較的小さく調整し、打球発射装置９から初速が比較的低い遊技球を打ち出す。これにより、遊技球は、案内レール１５から比較的早い時期に離れて落下して左打ち用の遊技領域２０１に導かれ、遊技釘１７や風１８に衝突しながら、あるものは、ワープ穴１１２、ステージ１１４及び誘導穴１１５を通過し始動入賞具２３に落下し、また、あるものは、ワープ穴１１２を介さず直接下方に落下し、一般入賞具２０或いは始動入賞具２３に入賞し、また、あるものは、アウト球としてアウト口２７に集合し、アウト球通路孔を通って遊技盤１１の裏面側に排出される。
【００５５】
始動入賞具２３に遊技球が入賞した場合、主制御装置９１は、低確率（手問えば、全ての大当たりの合計で１／３９０の確率）で確変大当たり及び通常大当たりの抽選を行い、確変大当たりと通常大当たりのいずれかに当選した場合、液晶表示装置２００に表示される絵柄６０１，６０２，６０３を揃え、規定ラウンド（例えば１５回）までアタッカー入賞具２５の開閉扉を長時間開放させる。ここで、開閉扉は比較的幅広に形成されており、遊技者が操作レバー９ｂの回動角を大まかに調整することで、アタッカー入賞具２５に遊技球を高確率で入賞させることが可能となり、遊技者は、大量の賞球、例えば１７００個の賞球を容易に獲得できる。
【００５６】
パチンコ遊技機１は、確変大当たりに当選した場合、大当たりの規定ラウンド終了後に確率変動モードに移行し、通常大当たりに当選した場合、大当たりの規定ラウンド終了後に時短モードに移行する。
【００５７】
パチンコ遊技機１は、確率変動モード又は時短モードに移行した場合、液晶表示装置２００を用いて遊技者に対して右打ちを行う指示を行う。これにより、遊技者は、確率変動モードと時短モードとのいずれの場合にも右打ちを行う。
【００５８】
次に、パチンコ遊技機１における右打ちの際のゲーム動作を説明する。
パチンコ遊技機１は、確率変動モードまたは時短モードの場合、そのモードに対応した画像を液晶表示装置２００に表示する。この場合、遊技者は、操作レバー９ｂの回動角を比較的大きく調整し、打球発射装置９から初速が比較的速い遊技球を打ち出す。これにより、遊技球は、案内レール１５に誘導された状態で球路１２２を通り、右打ち用の遊技領域２０２に落下する。右打ち用の遊技領域２０２に落下する遊技球は、遊技釘１７に衝突しながら、あるものはスルーチェッカを通過し、あるものは一般入賞具２、始動入賞具に入賞し、また、あるものは右打ち用の遊技領域２０２を通過しアウト球としてアウト口２７に集合し、アウト球通路孔を通って遊技盤１１の裏面側に排出される。また、スルーチェッカに遊技球が通過した場合、主制御基板９１は、始動入賞具のチューリップ羽根を所定回数開閉させる。これにより、始動入賞具には高確率で遊技球が入賞し、賞球の払出をおこなうため、パチンコ遊技機１において払い出される賞球の数は、打球発射装置９から打ち出される遊技球の数の１００％前後となり、遊技者は、手持ちの遊技球をほとんど減らすことなく大当たりの抽選を連続して実行できる。このような状態は、一般的に電チューサポートがある状態と呼ばれている。
【００５９】
確率変動モードにおいて、主制御基板９１は、電チューサポートがある状態で始動入賞具に遊技球が入賞する毎に高確率（例えば、全ての大当たりの合計で１／３９の確率）で確変大当たり及び通常大当たりの抽選を行い、確変大当たりと通常大当たりのいずれかに当選した場合、絵柄６０１，６０２，６０３を揃え、規定ラウンドまでアタッカー入賞具２５の開閉扉を長時間開放させる。ここで主制御基板９１は、通常大当たりから時短モードに突入し、時短モードにおいて１００回の抽選までに大当たりに当選しなければ時短モードを終了し、通常モードに戻る。
【００６０】
次に、中央役物１００の周辺部について詳細に説明する。
図１，３に示されるように、中央役物１００の基体をなす枠部材１０１は、樹脂材料を用いて射出成型等により一体的に形成されているものであって、その中央部には液晶表示装置２００が配設されている。さらに、この枠部材１０１には、予め設定された所定空間内に配設された小片１０６を遊技状態に応じて吹き出される噴風によって花吹雪状に舞い上がらせるように構成された役物演出装置１０２が一体的に設けられている。
【００６１】
なお、役物演出装置１０２は、枠部材１０１にのみ設けられるものではなく、パチンコ遊技機１の前面側のどこにでも配設することが可能である。
【００６２】
具体的には、液晶表示装置２００の周囲をほぼ囲むような形態の予め設定された所定空間としての役物演出空間１０３と、この役物演出空間１０３内に遊技状態に応じて噴風する噴風手段としての電動ファン１０４と、役物演出空間１０３内の空気流を外部に導くための排気手段としての開閉弁１０５と、電動ファン１０４の発生する空気流によって役物演出空間１０３内を花吹雪状に舞い上がる小片１０６と、を備えて構成されている。
【００６３】
役物演出空間１０３は、液晶表示装置２００の右下方側から液晶表示装置２００の左側部に達するように湾曲形成された中空体であって、その前面側には、空間内が透けて見えるように透明部材が用いられていると共に、この透明部材の一部には、遊技内容に応じた装飾（本実施形態にあっては桜の花や花びら）が施されている。さらには、右打ち用の遊技領域２０２側における役物演出空間１０３の裏側には、図示しないワープ穴が設けられている。
【００６４】
また、この役物演出空間１０３は、液晶表示装置２００の右下方側に位置する端部１０３Ａが最大幅を有するように形成されている。そして、その幅は、液晶表示装置２００の右下方側から液晶表示装置２００の上部に向かうのにしたがって徐々に狭められたのち、液晶表示装置２００の上部から液晶表示装置２００の左側壁１１１に向かうのにしたがって若干広げられるように変化がつけられている。これにより、役物演出空間１０３内に噴出された空気流の速度、圧力が、途中の空間形状に応じて変化を受けやすい、つまり空間内を風送される小片１０６が多彩な動きをして花吹雪状に群舞しているかのように見せることが可能とされている。
【００６５】
そして、この役物演出空間１０３の端部１０３Ａには、空間内に向かって噴風する電動ファン１０４の空気吹出し口（図示せず）が配設されている。この電動ファン１０４は、主制御基板９１によってＯＮ−ＯＦＦ制御されるようになっている。主制御基板９１は、遊技状態、例えば、確変変動開始時、確変大当たりや通常大当たりのいずれかに当選した場合等の遊技者の期待度が大きくなるような遊技変化時に応じて、電動ファン１０４の駆動を開始して変動終了まで電動ファン１０４の駆動を継続する。なお、この空気吹出し口に、主制御基板９１によって駆動制御される風量調整弁を設けることによって、電動ファン１０４から噴風される風に強弱をつけるように構成してもよい。
【００６６】
また、この役物演出空間１０３の他端部１０３Ｂには、空間内の空気流を外部に排出するための開閉弁１０５が設けられている。なお、この開閉弁１０５は、主制御基板９１によって開閉駆動制御される電磁式、或いは空間内の空気流によって開閉する圧力式のうち何れかが用いられているが、これに限定されるものではない。なお、この開閉弁１０４には、空気流から小片１０６を分離、落下させる網状の分離部（図示せず）が備えられており、空気のみを排出するようになっている。
【００６７】
さらに、この役物演出空間１０３の内部には、遊技内容に応じて形成された小片１０６が複数配設されている。この小片１０６は、本実施形態にあっては桜の花びらに似せた合成樹脂製品が用いられており、電動ファン１０４が発生する空気流にのって役物演出空間１０３内を花吹雪状に舞い上がりながら端部１０３Ａから端部１０３Ｂに向かって風送されるようになっている。
【００６８】
なお、小片１０６は、桜の花びらに似せたものに限定されるものではなく、遊技内容に応じてその形態を変更することができる。
【００６９】
そして、主制御基板９１は、確変変動開始時や確変大当たりや通常大当たりのいずれかに当選した場合等の遊技状態に応じて電動ファン１０４の駆動を開始する。すると、役物演出空間１０３には、端部１０３Ａ側に施されていた装飾に隠れるように堆積していた小片１０６が、電動ファン１０４の噴出する空気流にのって瞬時に舞い上がり始めると共に、端部１０３Ａから端部１０３Ｂに向かった空気流にのって花吹雪状に風送される。これにより、複数の小片１０６による花吹雪の演出によって、遊技者の興味をさらに引くことができるようになると共に、遊技者は、遊技状態の変化（例えば期待度が大幅にアップしたこと等）が容易に分かるようになるので、遊技性が高まり、遊技をより楽しく行うことができるようになる。
【００７０】
さらには、主制御基板９１は、役物演出空間１０３に花吹雪を出現させ、端部１０３Ｂに小片１０６がたどり着くタイミングに合わせて、液晶表示装置２００に花吹雪の続きを画像表示させるように構成されている。これにより、中央役物１００のほぼ全域にわたり花吹雪を出現させる演出によって、より期待度が大きくなったことを遊技者に報知することができるようになり、さらに遊技者の興味を引くことができるようになる。
【００７１】
ところで、電動ファン１０４の停止に伴って小片１０６の大部分は端部１０３Ａ側に自然落下するが、小片１０６の一部は端部１０３Ｂ側に落下してしまうこともある。そこで、役物演出空間１０３の端部１０３Ａと端部１０３Ｂとを中央役物１００の裏側で連ならせておくことによって、小片１０６が役物演出空間１０３内を循環できるように構成してもよい。
【００７２】
さらには、開閉弁１０５と同等の機能を有する複数の開閉弁を役物演出空間１０３に沿って間隔をあけながら配設しておき、遊技内容に応じて作動させる開閉弁を選択制御することによって、大きさの異なる花吹雪を役物演出空間１０３内に出現させることも可能である。これにより、遊技者は花吹雪の大きさによって、遊技内容の変化や期待度の大きさがより分かり易くなるため、遊技性がさらに高くなり、遊技者が遊技をより楽しく行えるようになる。
【００７３】
以上説明したように本発明によれば、役物演出空間１０３内に配設された複数の小片１０６が、遊技状態に応じて空間内に電動ファン１０４から噴風される空気流にのって瞬時に舞い上がり始めると共に、空間内を流れる空気流にのって花吹雪状に風送される。これにより、複数の小片１０６による花吹雪の演出によって、遊技者の興味をさらに引くことができるようになると共に、遊技者は、遊技状態の変化、例えば期待度が大幅にアップしたこと等が容易に分かるようになるので、遊技性が高まり、遊技をより楽しく行うことができるようになる。
【００７４】
また、本発明によれば、役物演出装置１０２による小片１０６を花吹雪状に舞い上げる演出と、液晶表示装置２００による画像演出とが連動して行われる。これにより、中央役物１００のほぼ全域にわたり花吹雪を出現させる演出によって、より期待度が大きくなったことを遊技者に報知することができるようになり、さらに遊技者の興味を引くことができるようになる。
【００７５】
さらにまた、本発明によれば、役物演出空間１０３内の空気を外部に排出する開閉弁１０５の配設位置によって小片１０６による花吹雪の大きさが調節される。これにより、遊技者は花吹雪の大きさによって、遊技内容の変化や期待度の大きさがより分かり易くなるため、遊技性がさらに高くなり、遊技者が遊技をより楽しく行えるようになる。
【図面の簡単な説明】
【００７６】
【図１】本発明の実施形態に係るパチンコ遊技機の正面図である。
【図２】同例におけるパチンコ遊技機の背面図である。
【図３】同例における遊技盤の正面図である。
【符号の説明】
【００７７】
１      パチンコ遊技機（遊技機）
１１    遊技盤
９１    主制御基板
１００  中央役物
１０１  枠部材
１０２  役物演出装置
１０３  役物演出空間（所定空間）
１０４  電動ファン（噴風手段）
１０５  開閉弁（排気手段）
１０６  小片
２００  液晶表示装置（図柄表示装置）
【図１】
2007268129.tif 000003
【図２】
2007268129.tif 000004
【図３】
2007268129.tif 000005